【手続補正書】
【提出日】平成29年9月5日(2017.9.5)
【手続補正１】
【補正対象書類名】特許請求の範囲
【補正対象項目名】請求項５
【補正方法】変更
【補正の内容】
【請求項５】
前記螺旋状の移行段差部が外ねじを含み、前記圧力降下の量が、少なくとも部分的には、前記挿入深さにおいて提供されるねじ山の数に基づいて決定される、請求項３に記載の熱伝達システム。
【手続補正２】
【補正対象書類名】特許請求の範囲
【補正対象項目名】請求項１１
【補正方法】変更
【補正の内容】
【請求項１１】
給水源を受容する手段と、
第１伝熱管及び第２伝熱管を含む複数の伝熱管に前記受容する手段を流体的に接続する手段と、
オリフィス手段の挿入深さに少なくとも部分的に基づいて、前記第１伝熱管内に含まれる給水の圧力を変化させるためのオリフィス手段と、
前記オリフィス手段を取り付けるための手段と
を備え、
前記第１伝熱管内の給水の圧力が、前記第１伝熱管に関連付けられた流量が前記第２伝熱管に関連付けられた流量に略等しくなるまで、前記取り付けるための手段に対して前記オリフィス手段を再配置することによって変化する、装置。
【手続補正３】
【補正対象書類名】明細書
【補正対象項目名】００３４
【補正方法】変更
【補正の内容】
【００３４】
図６Ｂは、図６Ａの管板６５内で可塑的に変形した後の管６０を示す。空気圧又は油圧式工具を、管６０内に配置した後に、管６０の内面６７を押圧するように操作してもよい。内面６７が、半径Ｒ３に拡張されると、外面６４も貫通孔の周壁内に延びて、管板６５とともにシールを形成してもよい。変形された管６０の断面の半径Ｒ３は、管６０の残りの部分の内径Ｒ１よりも大きくてもよく、可塑的に変形された後、管６０の内面６７に若干膨らみがあってもよい。例えば、半径Ｒ３は、約０.５２５インチ（約１．３３ｃｍ）、内径Ｒ１は、約０.５１５インチ（約１．３１ｃｍ）としてもよい。摩擦シール、又は圧入、の失敗を回避するために、管６０の突出部をシール溶接して、接合箇所を確実に密閉してもよい。
【手続補正４】
【補正対象書類名】明細書
【補正対象項目名】００４３
【補正方法】変更
【補正の内容】
【００４３】
プレナム８７の内部領域へのアクセスは、流入量制限オリフィスや、１つ以上のオリフィスプレート（本明細書でさらに記載されるような）を含む、関連する位置決め及び取付金具の設置及び／又は除去のために提供されてもよい。プレナム８７及びアクセスポート８３の寸法及び形状に基づいて、作業者８４が、プレナム８７に入り、管板８５の領域で手作業を実行すること、例えば、流量制限器や取付金具の除去及び設置を行い、任意の必要な流量制限器の設置検査を行うこと、が実用的な場合がある。いくつかの例では、プレナム８７は、原子炉圧力容器及び／又はアクセスポート８３に内径約２フィート（約６０．９６ｃｍ）の筒を備えていてもよく、その筒は、プレナム８７が中央ライザーを貫通する内部端の近くで直径がより小さくなるようにテーパが付けられてもよい。
【手続補正５】
【補正対象書類名】明細書
【補正対象項目名】００５２
【補正方法】変更
【補正の内容】
【００５２】
オリフィス８９は、二次冷却流体２の圧力を減少させるために使用されてもよい。いくつかの例では、オリフィス８９は、１００.０ｍｍＨｇ〜３００.０ｍｍＨｇ（約１３．３３ＫＰａ〜約４０ＫＰａ）の量だけ、二次冷却流体２の圧力を低下させるように構成されてもよい。二次冷却流体２の圧力を低下及び／又は安定させることは、例えば、原子炉モジュールの低出力動作中、湿り蒸気と乾燥蒸気との間の瞬間的な振動を回避するのに役立ち、これは、湿り蒸気がタービン３１、３２（図１）などの複数のタービンに結合される可能性を低減することができる。いくつかの例では、オリフィス８９及び過冷却管入口部にわたる総圧力損失が、二相の過熱された管部にわたる圧力損失を上回る場合がある。
【手続補正６】
【補正対象書類名】明細書
【補正対象項目名】００６１
【補正方法】変更
【補正の内容】
【００６１】
いくつかの例では、管端部への供給流は、オリフィスプレート１０５を通る給水１７の流れ及び／又はオリフィスプレート１０５の周囲の給水１７の迂回流を含んでいてもよい。オリフィスプレート１０５を、例えば、１つ以上の取付スタッド上のスペーサを介して、管板９５の面から約０.５インチ（約１．２７ｃｍ）、離れるように構成してもよい。オリフィスプレート１０５と管板９５との間の間隔は、給水１７の流れが、流路１０８及び／又は隙間１０６を通って管に入ることを許容するように構成されてもよい。また、その間隔は、管に入る前に流れの分配を許容する体積を提供するように構成されてもよい。管端部への流れに依存する圧力降下は、管端部への流れの均一な分配を提供するために最小化されてもよい。
【手続補正７】
【補正対象書類名】明細書
【補正対象項目名】００６２
【補正方法】変更
【補正の内容】
【００６２】
流路１０４は、オリフィスデバイス取付孔の各列の間に流通孔を備えて、プレナム体積からオリフィスプレート１０５を通る流れを許容してもよい。いくつかの例では、流路は、直径約０.２５インチ（約０．６４ｃｍ）の流通孔を含んでもよい。プレートの離間を調整することができ、オリフィスプレート１０５を通る流量及び／又はオリフィスプレート１０５の周囲の迂回流量を変更するために、追加の流通孔を追加するか、流通孔の寸法を調整することができる。
【手続補正８】
【補正対象書類名】明細書
【補正対象項目名】００６５
【補正方法】変更
【補正の内容】
【００６５】
オリフィスデバイス及び関連する取付金具の設置及び除去は、管と管板との溶接及び／又は管板９５におけるもしくはその周辺の伝熱管の部分の検査のためのアクセスを提供するために、動作中に行ってもよい。運転停止中は時間が重要であり得るため、オリフィスデバイス及び／又は取付金具をできるだけ短時間で設置又は除去することが可能であるべきである。オリフィスデバイス、取付金具、及びオリフィスプレート１０５は、アクセスポート８３（図８）よりも小さいアセンブリ／組立部品を含んでいてもよく、したがって、アクセスポートを通してプレナムの中に又は外に移動させることができる。いくつかの例では、管板９５は、プレナムの内面の底部の上方約１フィート半（約４５．７２ｃｍ）の位置に配置されてもよい。また、オリフィスデバイスが、各伝熱管内に延びていてもよく、その一方で、その長さの一部（例えば、数インチ）を伝熱管の外側に残し、管板９５からのオリフィスプレート１０５の間隔を調整してもよい。
【手続補正９】
【補正対象書類名】明細書
【補正対象項目名】００８５
【補正方法】変更
【補正の内容】
【００８５】
一方、環状流オリフィスは、オリフィスインサートと管との間に位置する環状部を通る流れを許可するように構成することができる。ねじ付オリフィスは、短い距離で多数の移行段差部を提供することにより、大きな入口オリフィス圧力降下を達成する外ねじインサートを含んでいてもよい。外ねじのピッチは、インチあたりのねじ山の数の逆数として定義することができる。例えば、インサートが３／８−１６と指定されている場合、ピッチがＰ＝１／１６インチ（約１．５９ｍｍ）の３／８インチ（約９．５３ｍｍ）外ねじ径固定具に対応する。
【手続補正１０】
【補正対象書類名】明細書
【補正対象項目名】００９４
【補正方法】変更
【補正の内容】
【００９４】
ねじ付インサートオリフィスの場合、移行段差部の数は、管におけるオリフィスの挿入長（挿入深さ）の１インチ（２．５４ｃｍ）あたりのねじ山の数（例えば、３／８‐１６  ＵＮＣ‐２Ａねじ付インサートについては１インチ（２．５４ｃｍ）あたり１６のねじ山）の倍数によって特定されてもよい。摩擦係数は、滑らかな壁を備えた円管を想定して決定されてもよい。同様に、管のレイノルズ数は、乱流の境界値に対応する一定の摩擦係数により完全に乱流状態であると仮定されてもよい。特定のオリフィスの流体力学的抵抗係数に基づいて、流体力学的抵抗係数は、オリフィスの種類や仕様に応じて、ｋ＝１０２（最小）の近似値からｋ＝１０４（最大）の範囲であり得る。
【手続補正１１】
【補正対象書類名】明細書
【補正対象項目名】０１１８
【補正方法】変更
【補正の内容】
【０１１８】
図１９は、第１プレート１９１と、第２プレート１９２と、第３プレートの１９３と含む複数の取付プレートを備えた例示的なオリフィス取付システム１９０を示す。複数の取付プレートを含むことにより、単一プレート構成に比べ、各プレートの重量を減少させることができる。例えば、単一の取付プレートの重量が３０ポンド（約１３．６１ｋｇ）である場合、３つのプレート１９１、１９２、１９３はそれぞれ、重量が約１０ポンド（約４．５４ｋｇ）となるように寸法決め及び／又は構成してもよい。寸法を小さくした取付プレートは、手作業での取り扱いを容易にすることができ、かつ／あるいは、同時に設置及び／又はプレナムから除去可能なオリフィスデバイスの数を減少させることができる。１つ以上の取付プレートを使用することにより、管端に影響を与えることなく、所定の場所にオリフィスデバイスを位置決め及び固定しやすくなる。
【手続補正１２】
【補正対象書類名】明細書
【補正対象項目名】０１２４
【補正方法】変更
【補正の内容】
【０１２４】
いくつかの例では、オリフィスデバイスは、伝熱管の端部を通って挿入される、略半インチ（約１．２７ｃｍ）だけ大きな外径の領域を含んでいてもよい。伝熱管の内径は、オリフィスデバイスのより大きな外径の領域よりも僅かに大きくてもよい。各管の端部へ複数の流量制限器を同時挿入することを容易にするために、精密機械加工された嵌合フランジをオリフィスデバイス上、及び／又は取付プレート上に配置し、取付プレートに対する組み付けられたオリフィスデバイスの垂直性を向上させてもよい。